(57)【要約】【課題】衝突回避制御に対する運転者の違和感を低減する。【解決手段】回避操作状態判定手段２７が、運転者が障害物との衝突を回避するために行った衝突回避操作が意図的又は反射的な衝突回避操作のどちらであるかを判定し、回避支援量決定手段２８が、回避操作状態判定手段２７の判定結果に基づき障害物との衝突を回避するための自車両の制御量を決定し、決定した制御量に従って障害物との衝突を回避するようにブレーキコントロールユニット及びステアコントロールユニットを制御する。【選択図】図１
2008265468.tif 000002
【特許請求の範囲】
【請求項１】
自車両の走行経路に存在する障害物を検出する障害物検出手段と、
前記障害物検出手段により検出された障害物に自車両が衝突するまでの時間を衝突回避限界時間として算出する衝突回避限界時間算出手段と、
前記衝突回避限界時間が所定の閾値以下であるか否かを判別することにより自車両が障害物に衝突することを回避するための制御を実施するか否かを判定する障害物回避実施判定手段と、
前記障害物回避実施判定手段が自車両が障害物に衝突することを回避するための制御を実施すると判定した場合、運転者が障害物との衝突を回避するために行った衝突回避操作が意図的又は反射的な衝突回避操作のどちらであるかを判定する回避操作状態判定手段と、
前記回避操作判定判定手段の判定結果に基づき、障害物との衝突を回避するための自車両の制御量を決定する回避支援量決定手段と、
前記回避支援量決定手段により決定された制御量に従って障害物との衝突を回避するように前記自車両の走行を制御する制御手段と
を備えることを特徴とする走行支援装置。
【請求項２】
請求項１に記載の走行支援装置において、
運転者が障害物との衝突を回避するために行った衝突回避操作の内容を検出する回避操作検出手段と、
前記回避操作検出手段により検出された衝突回避操作の実行順序を検出する回避操作順序検出手段と、
前記回避操作検出手段により検出された衝突回避操作間の時間を回避操作間反応時間として算出する回避操作間反応時間算出手段とを備え、
前記回避操作状態判定手段は、運転者が最初に行った衝突回避操作の内容、及び前記回避操作間反応時間に応じて、運転者が行った衝突回避操作が意図的又は反射的な回避操作のどちらであるかを判定すること
を特徴とする走行支援装置。
【請求項３】
請求項２に記載の走行支援装置において、前記回避操作状態判定手段は、運転者が最初に行った衝突回避操作が自車両のアクセルペダルを開放する操作、且つ、自車両のアクセルペダルを開放する操作を実行してから自車両のステアリングを操舵する操作を実行するまでの時間若しくは自車両アクセルペダルを開放する操作を実行してから自車両のブレーキペダルを踏み込む操作を実行するまでの時間が所定時間以下である場合、運転者が実行した操作は反射的な衝突回避操作であると判定することを特徴とする走行支援装置。
【請求項４】
請求項１に記載の走行支援装置において、
運転者が障害物との衝突を回避するために行った衝突回避操作の内容を検出する回避操作検出手段と、
前記回避操作検出手段により検出された衝突回避操作の実行順序を検出する回避操作順序検出手段と、
前記回避操作検出手段により検出された衝突回避操作間の時間を回避操作間反応時間として算出する回避操作間反応時間算出手段と、
運転者の運転状態値を検出する状態検出手段を備え、
前記回避操作状態判定手段は、運転者が最初に行った衝突回避操作の内容、前記回避操作間反応時間、及び前記運転状態値に応じて、運転者が行った衝突回避操作が意図的又は反射的な回避操作のどちらであるかを判定すること
を特徴とする走行支援装置。
【請求項５】
請求項１に記載の走行支援装置において、
運転者の運転状態値を検出する状態検出手段を備え、
前記回避操作状態判定手段は、前記状態検出手段により検出された運転者の運転状態値に応じて運転者が障害物との衝突を回避するために行った操作の内容を判定することを特徴とする走行支援装置。
【請求項６】
請求項２乃至請求項４のうち、いずれか１項に記載の走行支援装置において、前記回避操作検出手段は、自車両のアクセルペダルの踏込量又は踏込速度、自車両のアクセルペダルの踏込量又は踏込速度、自車両のアクセル開度又はアクセルオフ速度、自車両のブレーキペダルの踏込量又は踏込速度、及び自車両のステアリングの操舵角又は操舵角速度を利用して、運転者が障害物との衝突を回避するために行った操作の内容を判定することを特徴とする走行支援装置。
【請求項７】
請求項１乃至請求項６のうち、いずれか１項に記載の走行支援装置において、
前記自車両が障害物を回避するための回避経路と当該回避経路を走行するために必要な自車両の操作量を算出する回避経路検出手段を備え、
運転者が行った衝突回避操作が反射的な回避操作である場合、前記回避支援量決定手段は、自車両の操作量が前記回避経路検出手段により算出された操作量に等しく又は近づくように制御量を決定すること
を特徴とする走行支援装置。
【請求項８】
請求項１乃至請求項７のうち、いずれか１項に記載の走行支援装置において、前記回避支援量決定手段は、前記衝突回避限界時間及び衝突回避状況の複雑度に応じて、前記制御量に重み付けを行うことを特徴とする走行支援装置。
【請求項９】
請求項２に記載の走行支援装置において、
前記衝突回避時間、衝突回避操作の実行順序、及び前記反応時間を自車両の運転者固有の識別情報と関連づけして記憶する回避行動データ蓄積手段と、
前記回避行動データ蓄積手段が記憶する情報を参照して、障害物との衝突を回避するための運転者の回避行動パターンを特定する回避行動パターン特定手段とを備え、
前記回避支援量決定手段は、前記回避行動パターン特定手段により特定された運転者の回避行動パターンに基づき、障害物との衝突を回避するための自車両の制御量を決定すること
を特徴とする走行支援装置。
【発明の詳細な説明】
【技術分野】
【０００１】
本発明は、車両と障害物の衝突を回避するための走行支援装置に関する。
【背景技術】
【０００２】
従来より、自車両と対向車の衝突の可能性を推定し、推定結果に基づき対向車との衝突を回避するように自車両の操向手段又は制動手段を制御する走行安全装置が知られている（特許文献１参照）。
【特許文献１】特開２００６−２９８２９４号公報
【発明の開示】
【発明が解決しようとする課題】
【０００３】
従来の走行安全装置は、対向車との衝突可能性に基づいて衝突回避制御を行っており、運転者による自車両の衝突回避操作の状況を考慮していない。このため、従来の走行安全装置によれば、走行安全装置の動作中に運転者が対向車との衝突を回避するために意図的に衝突回避操作を行った場合において、走行安全装置による衝突回避操作が運転者の衝突回避操作と異なる際、走行安全装置による衝突回避制御に対し運転者が違和感を感じることがある。
【０００４】
本発明は、上記課題を解決するためになされたものであり、その目的は、衝突回避制御に対する運転者の違和感を低減可能な走行支援装置を提供することにある。
【課題を解決するための手段】
【０００５】
上述した課題を解決するために、本発明に係る走行支援装置は、運転者が行った操作が意図的又は反射的な衝突回避操作のどちらであるかを判定し、判定結果に基づき、障害物との衝突を回避するための自車両の制御量を決定し、決定された制御量に従って障害物との衝突を回避するように自車両の走行を制御する。
【発明の効果】
【０００６】
本発明に係る走行支援装置によれば、運転者の衝突回避操作状況を考慮して衝突回避動作を実行するので、衝突回避制御に対する運転者の違和感を低減することができる。
【発明を実施するための最良の形態】
【０００７】
以下、図面を参照して、本発明に係る走行支援装置が適用された車両の構成と走行支援処理（衝突回避動作）の流れについて説明する。
【０００８】
〔車両の構成〕
始めに、図１，図２を参照して、本発明に係る走行支援装置が適用された車両１の構成について説明する。
【０００９】
本発明に係る走行支援装置が適用された車両１は、図１に示すように、駆動系として、ブレーキペダル２、ブースタ３、マスタシリンダ４、各車輪毎に設けられたホイールシリンダ５ａ，５ｂ，５ｃ，５ｄ、アクセルペダル６、及びステアリング７を備える。マスタシリンダ４は、ブースタ３が増幅出力したブレーキペダル２の踏込量に応じて制動液圧を昇圧し、ホイールシリンダ５ａ，５ｂ，５ｃ，５ｄに制動液圧を供給する。ホイールシリンダ５ａ，５ｂ，５ｃ，５ｄは、マスタシリンダ４から供給された制動液圧に応じて各車輪の制動制御を行う。アクセルペダル６は踏込量に応じたアクセル開度情報を出力する。
【００１０】
車両１は、図１に示すように、検出系として、レーザレーダ８，カメラ９，操舵角センサ１０，及び車速センサ１１を備える。レーザレーダ８は、車両前方にレーザ光を発射し、障害物からの反射光を受光系で受光してレーザ発射時点と反射光の受光時点との時間差を検出することにより、車両１と障害物との間の距離や障害物の位置を測定する。カメラ９は、車両１前方の画像を撮像し、周囲車両や道路環境等の周囲環境情報を検出する。操舵角センサ１０はステアリング７の操舵角や操舵角速度を検出する。車速センサ１１は車両１の速度を検出する。なお、車両１は、運転者の視線の動き，瞳孔径，姿勢，身体各部の筋電，心拍波形等の運転者の運転状態値を検出する検出装置を備えてもよい。また車両１は、車両１のヨー角や前後左右Ｇを検出する検出装置を備えてもよい。
【００１１】
車両１は、図１に示すように、制御系として、ブレーキコントロールユニット１２，ステアコントロールユニット１３，及びメインコントロールユニット１４を備える。ブレーキコントロールユニット１２はホイールシリンダ５ａ，５ｂ，５ｃ，５ｄに供給される制動液圧を制御する。ステアコントロールユニット１３はステアリング７の操舵角とトルクを制御する。メインコントロールユニット１４は、マイクロコンピュータにより構成され、検出系により検出された情報に基づいて駆動系を制御する。
【００１２】
本実施形態では、メインコントロールユニット１４は、内部のＣＰＵが制御プログラムを実行することにより、図２に示すように、衝突回避限界時間算出手段２１，障害物回避実施判定手段２２，回避経路候補算出手段２３，回避操作検出手段２４，回避操作順序検出手段２５，回避操作間反応時間算出手段２６，回避操作状態判定手段２７，回避支援量決定手段２８，及び障害物回避終了判定手段２９として機能する。
【００１３】
このような構成を有する交差点状況検出装置では、メインコントロールユニット１４が以下に示す走行支援処理を実行することにより車両１が障害物に衝突することを回避する。以下、図３に示すフローチャートを参照してこの走行支援処理を実行する際のメインコントロールユニット１４の動作について説明する。
【００１４】
〔走行支援処理〕
図３に示すフローチャートは、レーザレーダ８とカメラ９によって車両１の前方に障害物が検出されたタイミングで開始となり、走行支援処理はステップＳ１の処理に進む。
【００１５】
ステップＳ１の処理では、衝突回避限界時間算出手段２１が、レーザレーダ８により検出された車両１と障害物との間の距離と車速センサ１１により検出された車両１の速度を用いて、障害物を検出してから車両１が障害物に衝突するまでの時間を衝突回避限界時間Ｔｘとして算出する。なお、車両１の速度の代わりに障害物に対する車両１の相対速度を用いて衝突回避限界時間Ｔｘを算出してもよい。また本実施形態では、障害物が検出された時点の衝突回避限界時間Ｔｘを算出するが、運転者が最初の衝突回避操作を実行した時点（詳しくは後述）の衝突回避限界時間Ｔｘを算出してもよい。これにより、ステップＳ１の処理は完了し、走行支援処理はステップＳ２の処理に進む。
【００１６】
ステップＳ２の処理では、障害物回避実施判定手段２２が、ステップＳ１の処理により算出された衝突回避限界時間Ｔｘが所定の閾値Ｔｘ０以下であるか否かを判別することにより車両１が障害物に衝突することを回避するための制御（障害物回避制御）を実施する必要性があるか否かを判別する。そして判別の結果、衝突回避限界時間Ｔｘが所定の閾値Ｔｘ０以上である場合、障害物回避実施判定手段２２は、車両１が障害物に衝突するまでに時間的な余裕があり、障害物回避制御を実施する必要性はないと判断し、走行支援処理を終了する。一方、障害物回避限界時間Ｔｘが所定の閾値Ｔｘ０以下である場合には、障害物回避実施判定手段２２は、車両１が障害物に衝突するまでに時間的な余裕がなく、障害物回避制御を実施する必要性があると判断し、走行支援処理をステップＳ３の処理に進める。
【００１７】
ステップＳ３の処理では、回避経路候補算出手段２３が、カメラ９により検出された周囲車両や道路環境等の周囲環境情報とレーザレーダ８により検出された障害物の位置情報を参照して障害物との衝突を回避するための回避経路の候補を複数算出し、各候補について経路追従のために必要な制動液圧及び操舵角度の値を推奨操作量として出力する。これにより、ステップＳ３の処理は完了し、走行支援処理はステップＳ４の処理に進む。
【００１８】
ステップＳ４の処理では、回避操作検出手段２４が障害物との衝突を回避するために運転者が行った衝突回避操作の内容を検出し（回避操作検出処理）、回避操作順序検出手段２５が衝突回避操作の実行順序を検出する。なお、回避操作検出処理の詳細については図４に示すフローチャートを参照して後述する。これにより、ステップＳ４の処理は完了し、走行支援処理はステップＳ５の処理に進む。
【００１９】
ステップＳ５の処理では、回避操作間反応時間算出手段２６が、図５に示すように、車両１の前方に障害物が検出された時点から運転者が衝突回避操作を実行するまでの時間を各衝突回避操作毎に算出し、算出された時間を利用して衝突回避操作間の時間を回避操作間反応時間として算出する。これにより、ステップＳ５の処理は完了し、走行支援処理はステップＳ６の処理に進む。
【００２０】
ステップＳ６の処理では、回避操作状態判定手段２７が、衝突回避限界時間Ｔｘ，衝突回避操作の実行順序，及び回避操作間反応時間を利用して、運転者が行った衝突回避操作が反射的又は意図的な回避操作のどちらであるかを判定する（回避操作判定処理）。なお、この回避操作判定処理の詳細については図６に示すフローチャートを参照して後述する。これにより、ステップＳ６の処理は完了し、走行支援処理はステップＳ７の処理に進む。
【００２１】
ステップＳ７の処理では、回避操作状態判定手段２７が、ステップＳ６の処理結果に基づき運転者が行った衝突回避操作が反射的又は意図的な回避操作のどちらであるかを判別する。そして判別の結果、運転者が行った衝突回避操作が反射的な回避操作である場合、回避操作状態判定手段２７は走行支援処理をステップＳ８の処理に進める。一方、運転者が行った衝突回避操作が意図的な回避操作である場合には、回避操作状態判定手段２７は走行支援処理をステップＳ９の処理に進める。
【００２２】
ステップＳ８の処理では、回避支援量決定手段２８が、ステップＳ３の処理により算出された回避経路の中から障害物との衝突を回避する上で最適な回避経路を選択し、車両１の操作量が選択した回避経路に対応する推奨操作量に近く又は等しくなるようにブレーキコントロールユニット１２及びステアコントロールユニット１３を制御する。これにより、ステップＳ８の処理は完了し、走行支援処理はステップＳ１０の処理に進む。
【００２３】
ステップＳ９の処理では、回避支援量決定手段２８が、車両１の操作量が運転者の操作量に近く又は等しくなるようにブレーキコントロールユニット１２及びステアコントロールユニット１３を制御する。これにより、ステップＳ９の処理は完了し、走行支援処理はステップＳ１０の処理に進む。
【００２４】
ステップＳ１０の処理では、障害物回避終了判定手段２９が、衝突回避限界時間が所定の閾値以下であるか否か若しくは車両１の車速がゼロであるか否かを判別することにより、障害物との衝突回避操作が終了したか否かを判別する。判別の結果、障害物との衝突回避操作が終了していない場合、障害物回避終了判定手段２９は走行支援処理をステップＳ７の処理に戻す。一方、障害物との衝突回避操作が終了した場合には、障害物回避終了判定手段２９は一連の走行支援処理を終了する。
【００２５】
以上の説明から明らかなように、本実施形態の走行支援処理では、回避操作状態判定手段２７が、運転者が障害物との衝突を回避するために行った衝突回避操作が意図的又は反射的な衝突回避操作のどちらであるかを判定し、回避支援量決定手段２８が、回避操作状態判定手段２７の判定結果に基づき障害物との衝突を回避するための自車両の制御量を決定し、決定した制御量に従って障害物との衝突を回避するようにブレーキコントロールユニット１２及びステアコントロールユニット１３を制御するので、運転者の操作状態に応じた衝突回避制御を実現し、衝突回避制御に対する運転者の違和感を低減することができる。
【００２６】
なお、上記ステップＳ８，Ｓ９の処理において車両１の操作量を推奨操作量又は運転者の操作量に近づける際、衝突回避限界時間、及び衝突回避状況の複雑度（例えば障害物に衝突するまでの時間の短さや障害物との衝突を回避するための回避経路の複雑さ）に応じてブレーキコントロールユニット１２及びステアコントロールユニット１３の制御量に重み付けをしてもよい。このような処理によれば、衝突回避環境や緊急度も考慮して衝突回避制御を実施することができる。
【００２７】
〔回避操作検出処理〕
次に、図４に示すフローチャートを参照して、上記ステップＳ４の回避操作検出処理を実行する際の回避操作検出手段２４の動作について説明する。
【００２８】
図４に示すフローチャートは、上記ステップＳ３の処理が完了したタイミングで開始となり、回避操作検出処理はステップＳ１１の処理に進む。
【００２９】
ステップＳ１１の処理では、回避操作検出手段２４が、アクセルペダル６の踏込量又は踏込速度が所定の閾値以上であるか否かを判別する。判別の結果、アクセルペダル６の踏込量又は踏込速度が所定の閾値以上である場合、回避操作検出手段２４は、ステップＳ１２の処理として障害物との衝突を避けるために運転者は衝突回避操作としてアクセルペダル６を踏み込む加速回避操作を行ったと判定した後、回避操作検出処理をステップＳ１３の処理に進める。一方、アクセルペダル６の踏込量又は踏込速度が所定の閾値以上でない場合には、回避操作検出手段２４は回避操作検出処理をステップＳ１３の処理に進める。
【００３０】
ステップＳ１３の処理では、回避操作検出手段２４が、アクセル開度がゼロ又はアクセルオフ速度が所定の閾値以上であるか否かを判別する。判別の結果、アクセル開度がゼロ又はアクセルオフ速度が所定の閾値以上である場合、回避操作検出手段２４は、ステップＳ１４の処理として障害物との衝突を避けるために運転者は衝突回避操作としてアクセルから足を離すアクセルオフ回避操作を行ったと判定した後、回避操作検出処理をステップＳ１５の処理に進める。一方、アクセル開度がゼロ又はアクセルオフ速度が所定の閾値以上でない場合には、回避操作検出手段２４は回避操作検出処理をステップＳ１５の処理に進める。
【００３１】
ステップＳ１５の処理では、回避操作検出手段２４が、ブレーキペダル２の踏込量又は踏込速度が所定の閾値以上であるか否かを判別する。判別の結果、ブレーキペダル２の踏込量又は踏込速度が所定の閾値以上である場合、回避操作検出手段２４は、ステップＳ１６の処理として障害物との衝突を避けるために運転者は衝突回避操作としてブレーキペダル２を踏み込む制動回避操作を行ったと判定した後、回避操作検出処理をステップＳ１７の処理に進める。一方、ブレーキペダル２の踏込量又は踏込速度が所定の閾値以上でない場合には、回避操作検出手段２４は回避操作検出処理をステップＳ１７の処理に進める。
【００３２】
ステップＳ１７の処理では、回避操作検出手段２４が、操舵角度がゼロでない又は操舵角速度が所定の閾値以上であるか否かを判別する。判別の結果、操舵角度がゼロである又は操舵角速度が所定の閾値以上でない場合、回避操作検出手段２４は一連の回避操作検出処理を終了する。一方、操舵角度がゼロでない又は操舵角速度が所定の閾値以上である場合には、回避操作検出手段２４は、ステップＳ１８の処理として障害物との衝突を避けるために運転者は衝突回避操作としてステアリング７を操舵する操舵回避操作を行ったと判定した後、一連の回避操作検出処理を終了する。
【００３３】
以上の説明から明らかなように、本実施形態の回避操作検出処理では、回避操作検出手段２４は、アクセルペダル６の踏込量又は踏込速度、アクセルペダル６の踏込量又は踏込速度、アクセル開度又はアクセルオフ速度、ブレーキペダル２の踏込量又は踏込速度、及びステアリング７の操舵角又は操舵角速度を利用して、運転者が障害物との衝突を回避するために行った衝突回避操作の内容を判定するので、運転者の衝突回避操作に応じた衝突回避制御を実行することができる。
【００３４】
〔回避操作判定処理〕
次に、図６乃至図８に示すフローチャートを参照して、上記ステップＳ６の回避操作状態判定処理を実行する際の第１乃至第３の実施形態となる回避操作状態判定手段２７の動作について説明する。
【００３５】
〔第１の実施形態〕
始めに、図６に示すフローチャートを参照して、第１の実施形態となる回避操作状態判定手段２７の動作について説明する。
【００３６】
図６に示すフローチャートは、上記ステップＳ５の処理が完了したタイミングで開始となり、回避操作状態判定処理はステップＳ２１の処理に進む。
【００３７】
ステップＳ２１の処理では、回避操作状態判定手段２７が、衝突回避限界時間Ｔｘが所定の閾値Ｔｘ０以下であるか否かを判別する。そして判別の結果、衝突回避限界時間Ｔｘが所定の閾値Ｔｘ０以下でない場合、回避操作状態判定手段２７は回避操作状態判定処理をステップＳ２８の処理に進める。一方、衝突回避限界時間Ｔｘが所定の閾値Ｔｘ０以下である場合には、回避操作状態判定手段２７は回避操作状態判定処理をステップＳ２２の処理に進める。
【００３８】
ステップＳ２２の処理では、回避操作状態判定手段２７が、運転者が最初に行った衝突回避操作がアクセルオフ回避操作であるか否かを判別する。そして判別の結果、運転者が最初に行った衝突回避操作がアクセルオフ回避操作である場合、回避操作状態判定手段２７は回避操作状態判定処理をステップＳ２８の処理に進める。一方、運転者が最初に行った衝突回避操作がアクセルオフ回避操作でない場合には、回避操作状態判定手段２７は回避操作状態判定処理をステップＳ２３の処理に進める。
【００３９】
ステップＳ２３の処理では、回避操作状態判定手段２７が、アクセルオフ回避操作を行ってから操舵回避操作が開始するまでの時間Ｔａｓとアクセルオフ回避操作を行ってから制動回避操作が開始するまでの時間Ｔａｂを算出する。これにより、ステップＳ２３の処理は完了し、回避操作状態判定処理はステップＳ２４の処理に進む。
【００４０】
ステップＳ２４の処理では、回避操作状態判定手段２７が、ステップＳ２３の処理により算出されたアクセルオフ回避操作を行ってから操舵回避操作が開始するまでの時間Ｔａｓが所定の閾値Ｔａｓ０以下であるか否かを判別する。そして判別の結果、アクセルオフ回避操作を行ってから操舵回避操作が開始するまでの時間Ｔａｓが所定の閾値Ｔａｓ０以下である場合、回避操作状態判定手段２７は回避操作状態判定処理をステップＳ２６の処理に進める。一方、アクセルオフ回避操作を行ってから操舵回避操作が開始するまでの時間Ｔａｓが所定の閾値Ｔａｓ０以下でない場合には、回避操作状態判定手段２７は回避操作状態判定処理をステップＳ２５の処理に進める。
【００４１】
ステップＳ２５の処理では、回避操作状態判定手段２７が、ステップＳ２３の処理により算出されたアクセルオフ回避操作を行ってから制動回避操作が開始されるまでの時間Ｔａｂが所定の閾値Ｔａｂ０以下であるか否かを判別する。そして判別の結果、アクセルオフ回避操作を行ってから制動回避操作が開始されるまでの時間Ｔａｂが所定の閾値Ｔａｂ０以下である場合、回避操作状態判定手段２７は回避操作状態判定処理をステップＳ２６の処理に進める。一方、アクセルオフ回避操作を行ってから制動回避操作が開始されるまでの時間Ｔａｂが所定の閾値Ｔａｂ０以下でない場合には、回避操作状態判定手段２７は回避操作状態判定処理をステップＳ２７の処理に進める。
【００４２】
ステップＳ２６の処理では、回避操作状態判定手段２７が、障害物の出現状況が緊急な状況であり、運転者が行った衝突回避操作は反射的な回避操作であると判定する。これにより、ステップＳ２６の処理は完了し、一連の回避操作状態判定処理は終了する。
【００４３】
ステップＳ２７の処理では、回避操作状態判定手段２７が、運転者は衝突回避操作を行っていないと判定する。これにより、ステップＳ２７の処理は完了し、一連の回避操作状態判定処理は終了する。
【００４４】
ステップＳ２８の処理では、回避操作状態判定手段２７が、障害物の出現状況が緊急な状況ではなく、運転者が行った衝突回避操作は意図的な回避操作であると判定する。これにより、ステップＳ２８の処理は完了し、一連の回避操作状態判定処理は終了する。
【００４５】
以上の説明から明らかなように、第１の実施形態となる回避操作状態判定処理では、回避操作検出手段２４が、運転者が障害物との衝突を回避するために行った衝突回避操作の内容を検出し、回避操作順序検出手段２５が、回避操作検出手段２４により検出された衝突回避操作の実行順序を検出し、回避操作間反応時間算出手段２６が、回避操作検出手段２４により検出された衝突回避操作間の時間を回避操作間反応時間として算出し、回避操作状態判定手段２７は、運転者が最初に行った衝突回避操作の内容、及び回避操作間反応時間に応じて、運転者が行った衝突回避操作が意図的又は反射的な回避操作のどちらであるかを判定するので、運転者の衝突回避操作の内容と実行タイミングに応じた衝突回避制御を実行することができる。
【００４６】
またこの回避操作状態判定処理では、回避操作状態判定手段２７は、運転者が最初に行った衝突回避操作がアクセルオフ回避操作、且つ、アクセルオフ回避操作を行ってから操舵回避操作が開始するまでの時間Ｔａｓ若しくはアクセルオフ回避操作を行ってから制動回避操作が開始するまでの時間Ｔａｂが所定時間以下である場合、運転者が実行した操作は反射的な衝突回避操作であると判定するので、障害物出現時の緊急度を考慮した衝突回避制御を実行することができる。
【００４７】
〔第２の実施形態〕
次に、図７に示すフローチャートを参照して、第２の実施形態となる回避操作状態判定手段２７の動作について説明する。
【００４８】
図７に示すフローチャートは、上記ステップＳ５の処理が完了したタイミングで開始となり、回避操作状態判定処理はステップＳ３１の処理に進む。
【００４９】
ステップＳ３１の処理では、回避操作状態判定手段２７が、衝突回避限界時間Ｔｘが所定の閾値Ｔｘ０以下であるか否かを判別する。そして判別の結果、衝突回避限界時間Ｔｘが所定の閾値Ｔｘ０以下でない場合、回避操作状態判定手段２７は回避操作状態判定処理をステップＳ３５の処理に進める。一方、衝突回避限界時間Ｔｘが所定の閾値Ｔｘ０以下である場合には、回避操作状態判定手段２７は回避操作状態判定処理をステップＳ３２の処理に進める。
【００５０】
ステップＳ３２の処理では、回避操作状態判定手段２７が、運転者の視線の動き，瞳孔径，姿勢，身体各部の筋電，心拍波形等の運転者の運転状態値を検出する。これにより、ステップＳ３２の処理は完了し、回避操作状態判定処理はステップＳ３３の処理に進む。
【００５１】
ステップＳ３３の処理では、回避操作状態判定手段２７が、ステップＳ３２の処理により検出された運転状態値が運転状態毎に予め設定された所定の閾値以上であるか否かを判別する。そして判別の結果、運転状態値が所定の閾値以上でない場合、回避操作状態判定手段２７は回避操作状態判定処理をステップＳ３５の処理に進める。一方、運転状態値が所定の閾値以上である場合には、回避操作状態判定手段２７は回避操作状態判定処理をステップＳ３４の処理に進める。
【００５２】
ステップＳ３４の処理では、回避操作状態判定手段２７が、運転者が行った衝突回避操作は反射的な回避操作であると判定する。これにより、ステップＳ３４の処理は完了し、一連の回避操作状態判定処理は終了する。
【００５３】
ステップＳ３５の処理では、回避操作状態判定手段２７が、運転者が行った衝突回避操作は意図的な回避操作であると判定する。これにより、ステップＳ３５の処理は完了し、一連の回避操作状態判定処理は終了する。
【００５４】
以上の説明から明らかなように、第２の実施形態となる回避操作状態判定処理では、回避操作状態判定手段２７は、運転者の運転状態値に応じて運転者が障害物との衝突を回避するために行った操作の内容を判定するので、運転者の精神状態及び生理状態に応じた衝突回避制御を実現することができる。
【００５５】
なお、本実施形態では、各運転状態値が閾値以上であるか否かを判別することにより運転者が行った衝突回避操作が反射的又は意図的の回避操作のどちらであるかを判別したが、重回帰分析により得られる関数式のような複数の運転状態値により表される関数、換言すれば統合的な運転状態を表す関数を予め用意し、この関数の値が所定の閾値以下であるか否かを判別することにより運転者が行った衝突回避操作が反射的又は意図的の回避操作のどちらであるかを判別してもよい。
【００５６】
〔第３の実施形態〕
次に、図８に示すフローチャートを参照して、第３の実施形態となる回避操作状態判定手段２７の動作について説明する。
【００５７】
図８に示すフローチャートは、上記ステップＳ５の処理が完了したタイミングで開始となり、回避操作状態判定処理はステップＳ４１の処理に進む。なお、ステップＳ４１乃至ステップＳ４５の処理は上記ステップＳ３１乃至ステップＳ３５の処理と同じであるので、以下ではステップＳ４６の処理から説明を始める。
【００５８】
ステップＳ４６の処理は、ステップＳ４５の処理においてアクセルオフ回避操作を行ってから操舵回避操作が開始するまでの時間Ｔａｂが所定の閾値Ｔａｂ０以下でないと判定された場合において開始となり、本処理においては、回避操作状態判定手段２７が運転者の運転状態値を検出する。これにより、ステップＳ４６の処理は完了し、回避操作状態判定処理はステップＳ４７の処理に進む。
【００５９】
ステップＳ４７の処理では、回避操作状態判定手段２７が、ステップＳ４６の処理により検出された運転者の運転状態値が運転状態毎に予め設定された所定の閾値以上であるか否かを判別する。そして判別の結果、運転者の運転状態値が所定の閾値以上でない場合、回避操作状態判定手段２７は回避操作状態判定処理をステップＳ４８の処理に進める。一方、運転者の運転状態値が所定の閾値以上である場合には、回避操作状態判定手段２７は回避操作状態判定処理をステップＳ４９の処理に進める。
【００６０】
ステップＳ４８の処理では、回避操作状態判定手段２７が、運転者は意図的に衝突回避操作を行っていないと判定する。これにより、ステップＳ４８の処理は完了し、一連の回避操作状態判定処理は終了する。
【００６１】
ステップＳ４９の処理では、回避操作状態判定手段２７が、運転者はパニックに陥ることによって何も操作できない状態にあると判定する。これにより、ステップＳ４９の処理は完了し、一連の回避操作状態判定処理は終了する。なお、ステップＳ５０，Ｓ５１の処理は上記ステップＳ３４，Ｓ３５と同じ処理であるので説明を省略する。
【００６２】
以上の説明から明らかなように、第３の実施形態となる回避操作状態判定処理では、回避操作状態判定手段２７は、運転者の運転状態値が所定の閾値以上であるか否かに応じて運転者が何も操作できない状態と意図的に衝突回避操作を行っていない状態のどちらの状態にあるかを判定するので、運転者の状態に応じた衝突回避制御をより確実に行うことができる。
【００６３】
以上、本発明者によってなされた発明を適用した実施の形態について説明したが、この実施の形態による本発明の開示の一部をなす論述及び図面により本発明は限定されることはない。例えば図９に示すように、運転者に予め割り当てられた固有の個人ＩＤを特定する個人ＩＤ特定手段３１と、検出された衝突回避限界時間，衝突回避操作の順番，及び回避操作間反応時間のデータを回避行動データとして運転者の個人ＩＤと関連づけして記憶する回避行動データ蓄積手段３２を設け、回避行動パターン特定手段３３が、個人ＩＤ特定手段３１により特定された個人ＩＤに対応する回避行動データを読み出し、読み出されたデータに基づき緊急時における運転者の衝突回避操作が操舵のみによる回避操作、制動のみによる回避操作、及び操舵と制動の双方による回避操作のいずれであるかを特定し、特定された回避操作に応じて車両１の走行を支援してもよい。このような構成によれば、各運転者毎の回避行動パターンを考慮して運転者の回避操作状態に応じて車両１の走行を支援できるので、回避可能性をより高めた走行支援装置を提供することができる。このように、この実施の形態に基づいて当業者等によりなされる他の実施の形態、実施例及び運用技術等は全て本発明の範疇に含まれることは勿論であることを付け加えておく。
【図面の簡単な説明】
【００６４】
【図１】本発明に係る走行支援装置が適用された車両の構成を示す模式図である。
【図２】図１に示すメインコントロールユニットの内部構成を示すブロック図である。
【図３】本発明の実施形態となる走行支援処理の流れを示すフローチャート図である。
【図４】図３に示す回避操作検出処理の流れを示すフローチャート図である。
【図５】障害物を検出してから運転者による衝突回避操作を検出するまでの時間と衝突回避限界時間を示す模式図である。
【図６】本発明の第１の実施形態となる回避操作判定処理の流れを示すフローチャート図である。
【図７】本発明の第２の実施形態となる回避操作判定処理の流れを示すフローチャート図である。
【図８】本発明の第３の実施形態となる回避操作判定処理の流れを示すフローチャート図である。
【図９】図１に示すメインコントロールユニットの応用例の内部構成を示すブロック図である。
【符号の説明】
【００６５】
１：車両
２：ブレーキペダル
３：ブースタ
４：マスタシリンダ
５ａ，５ｂ，５ｃ，５ｄ：ホイールシリンダ
６：アクセルペダル
７：ステアリング
８：レーザレーダ
９：カメラ
１０：操舵角センサ
１１：車速センサ
１２：ブレーキコントロールユニット
１３：ステアコントロールユニット
１４：メインコントロールユニット
２１：衝突回避限界時間算出手段
２２：障害物回避実施判定手段
２３：回避経路候補算出手段
２４：回避操作検出手段
２５：回避操作順序検出手段
２６：回避操作間反応時間算出手段
２７：回避操作状態判定手段
２８：回避支援量決定手段
２９：障害物回避終了判定手段
【図１】
2008265468.tif 000003
【図２】
2008265468.tif 000004
【図３】
2008265468.tif 000005
【図４】
2008265468.tif 000006
【図５】
2008265468.tif 000007
【図６】
2008265468.tif 000008
【図７】
2008265468.tif 000009
【図８】
2008265468.tif 000010
【図９】
2008265468.tif 000011